(57)【特許請求の範囲】
【請求項１】
固定部材と、
中間部材と、
昇降部材と、
前記固定部材に対して前記中間部材を昇降可能なように、前記固定部材と前記中間部材とに回転可能に連結される第１リンク及び第２リンクと、
前記中間部材に対して前記昇降部材を昇降可能なように、前記中間部材と前記昇降部材とに回転可能に連結される第３リンク及び第４リンクと、
前記第１リンク及び前記第２リンクと前記第３リンク及び前記第４リンクとを連動させ、前記固定部材にスライド可能に又は補助リンクを介して連結される連動用リンクと、を備え、
前記連動用リンクは、前記第１リンク又は前記第２リンクに回転可能に連結され、前記第３リンク又は前記第４リンクにスライド可能に又は補助リンクを介して連結される昇降装置。
【請求項２】
前記昇降装置は、
前記第１リンク及び前記第２リンクの少なくとも一部を覆う第１カバーと、
前記第３リンク及び前記第４リンクの少なくとも一部を覆う第２カバーと、を備える請求項１に記載の昇降装置。
【発明の詳細な説明】
【技術分野】
【０００１】
本発明は、昇降部材を昇降可能にする昇降装置に関する。
【背景技術】
【０００２】
例えば台所の吊戸棚の下方の空間を有効に利用するために、特許文献１には、調味料等を収納する昇降部材としての棚部材を昇降可能な昇降装置が開示されている。この昇降装置は、吊戸棚の下面に固定される収納ケースと、上段棚部材と、下段棚部材と、を備える。収納ケースと上段棚部材とには、上部平行リンクが連結される。上段棚部材と下段棚部材とには、下部平行リンクが連結される。上段棚部材は、上部平行リンクの機能によって、収納ケースと平行を保ったまま昇降する。下段棚部材は、下部平行リンクの機能によって、上段棚部材と平行を保ったまま昇降する。上部平行リンクと下部平行リンクとが連動するように、上部平行リンク及び下部平行リンクには、互いに噛み合う歯車が設けられる。
【０００３】
特許文献２には、吊戸棚の下面に固定される取付け部材と、上段棚板と、下段棚板と、を備える昇降装置が開示されている。特許文献１に記載の昇降装置では、上部平行リンクと下部平行リンクとが歯車で連動するのに対し、特許文献２に記載の昇降装置では、上部平行リンクと下部平行リンクとがリンクで連動するように連結されている点が特許文献１に記載の昇降装置と異なる。しかし、上段棚板及び下段棚板を昇降させるリンクの基本構造は略同一である。
【０００４】
特許文献１及び２に記載の昇降装置によれば、利用者が必要なときに棚部材を降ろし、調味料等を出し入れする。調味料等を使い終わったら、棚部材を上昇させ、調味料等を吊戸棚の下に収納する。調理には、調味料、器、スプーン等の多数の物を必要とするところ、吊戸棚の下方の空間を収納空間として有効に利用することができる。
【先行技術文献】
【特許文献】
【０００５】
【特許文献１】特開２００８−１１０１５３号公報
【特許文献２】特開２００７−１７５３３３号公報
【発明の概要】
【発明が解決しようとする課題】
【０００６】
しかし、従来の昇降装置にあっては、昇降部材としての上段棚部材と下段棚部材とを昇降させるリンクの基本構造上、昇降部材が正面視で左右方向にふらふらし易いという課題がある。そこで本発明は、昇降部材の支持強度を向上させることができる昇降装置を提供することを目的とする。
【課題を解決するための手段】
【０００７】
上記課題を解決するために、本発明の一態様は、固定部材と、中間部材と、昇降部材と、前記固定部材に対して前記中間部材を昇降可能なように、前記固定部材と前記中間部材とに回転可能に連結される第１リンク及び第２リンクと、前記中間部材に対して前記昇降部材を昇降可能なように、前記中間部材と前記昇降部材とに回転可能に連結される第３リンク及び第４リンクと、前記第１リンク及び前記第２リンクと前記第３リンク及び前記第４リンクとを連動させ、前記固定部材にスライド可能に又は補助リンクを介して連結される連動用リンクと、を備え、前記連動用リンクは、前記第１リンク又は前記第２リンクに回転可能に連結され、前記第３リンク又は前記第４リンクにスライド可能に又は補助リンクを介して連結される昇降装置である。
【発明の効果】
【０００８】
本発明によれば、連動用リンクが固定部材にも連結される。このため、昇降部材の支持強度を向上させることができる。
【図面の簡単な説明】
【０００９】
【図１】本発明の第１の実施形態の昇降装置の外観斜視図である（図１（ａ）は昇降部材としての棚部材の上昇位置を示し、図１（ｂ）は棚部材の中間位置を示し、図１（ｃ）は棚部材の下降位置を示す）。
【図２】本発明の第１の実施形態の昇降装置の左側面図である（図２（ａ）は棚部材の上昇位置を示し、図２（ｂ）は棚部材の中間位置を示し、図２（ｃ）は棚部材の下降位置を示す）。
【図３】本発明の第１の実施形態の昇降装置の垂直断面図である（図３（ａ）は棚部材の上昇位置を示し、図３（ｂ）は棚部材の中間位置を示し、図３（ｃ）は棚部材の下降位置を示す）。
【図４】本発明の第１の実施形態の昇降装置の分解斜視図である。
【図５】本発明の第２の実施形態の昇降装置の垂直断面図である（図５（ａ）は棚部材の上昇位置を示し、図５（ｂ）は棚部材の中間位置を示し、図５（ｃ）は棚部材の下降位置を示す）。
【図６】本発明の第２の実施形態の昇降装置の分解斜視図である。
【図７】本発明の第３の実施形態の昇降装置の垂直断面図である（図７（ａ）は棚部材の上昇位置を示し、図７（ｂ）は棚部材の中間位置を示し、図７（ｃ）は棚部材の下降位置を示す）。
【図８】本発明の第４の実施形態の昇降装置の垂直断面図である（図８（ａ）は棚部材の上昇位置を示し、図８（ｂ）は棚部材の中間位置を示し、図８（ｃ）は棚部材の下降位置を示す）。
【発明を実施するための形態】
【００１０】
以下、添付図面に基づいて、本発明の実施形態の昇降装置を詳細に説明する。ただし、本発明の昇降装置は、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
（第１の実施形態）
【００１１】
図１は、本発明の第１の実施形態における昇降装置１の外観を示す斜視図である。昇降装置１は、例えば流し台の上方に配置される吊戸棚２の下面に取り付けられる。昇降部材としての棚部材３は、図１（ａ）に示す上昇位置から図１（ｃ）に示す下降位置まで昇降する。なお、以下の説明においては、説明の便宜上、昇降装置１を正面視したときの方向、すなわち図１に示す上下、左右及び前後方向を用いて昇降装置１の構成を説明する。また、添付の図面において同一の構成要素には同一の符号を附す。
【００１２】
昇降装置１は、左右一対の固定部材４ａ，４ｂと、左右一対の中間部材５ａ，５ｂと、棚部材３と、を備える。固定部材４ａ，４ｂは、吊戸棚２の下面に取り付けられる。固定部材４ａ，４ｂと中間部材５ａ，５ｂとには、左右一対の上部脚部６ａ，６ｂが回転可能に連結される。中間部材５ａ，５ｂと棚部材３とには、左右一対の下部脚部７ａ，７ｂが回転可能に連結される。
【００１３】
棚部材３が昇降するとき、上部脚部６ａ，６ｂ及び下部脚部７ａ，７ｂは、人間の脚のように屈伸、すなわち互いに反対方向にくの字状に回転する。詳しくは後述するが、各上部脚部６ａ，６ｂは、第１リンク１１と、第２リンク１２と、第１リンク１１及び第２リンク１２の少なくとも一部を覆う第１カバー１５と、を備える（図４参照）。各下部脚部７ａ，７ｂは、第３リンク１３と、第４リンク１４と、第３リンク１３及び第４リンク１４の少なくとも一部を覆う第２カバー１６と、を備える（図４参照）。
【００１４】
図２は昇降装置１の左側面図を示し、図３は昇降装置１の垂直断面図を示す。図２、図３には、左側の固定部材４ａ、上部脚部６ａ、中間部材５ａ、下部脚部７ａが示される。右側の固定部材４ｂ、上部脚部６ｂ、中間部材５ｂ、下部脚部７ｂは、左側のそれと左右対称である。図２、図３において、（ａ）は棚部材３の上昇位置を示し、（ｂ）は棚部材３の中間位置を示し、（ｃ）は棚部材３の下降位置を示す。
【００１５】
図３に示すように、固定部材４ａと中間部材５ａとには、第１リンク１１及び第２リンク１２が回転可能に連結される。固定部材４ａ、第１リンク１１、第２リンク１２、中間部材５ａは、機構学上、４つのリンク（４ａ，１１，１２，５ａ）が相対的な回転運動をする回り対偶で連結されていて、４節回転連鎖を構成する。この実施形態では、４つのリンク（４ａ，１１，１２，５ａ）が平行四辺形を形成するように、４つのリンク（４ａ，１１，１２，５ａ）のうちの対向する２つのリンク（１１，１２又は４ａ，５ａ）の長さが等しい。そして、中間部材５ａは固定部材４ａに対して一定の姿勢を保ったまま昇降する。ただし、４つのリンク（４ａ，１１，１２，５ａ）の長さは、上記に限定されるものではなく、任意に設定することができる。
【００１６】
中間部材５ａと棚部材３とには、第３リンク１３及び第４リンク１４が回転可能に連結される。中間部材５ａ、第３リンク１３、第４リンク１４、棚部材３も、機構学上、４つのリンク（５ａ，１３，１４，３）が相対的な回転運動をする回り対偶で連結されていて、４節回転連鎖を構成する。この実施形態では、４つのリンク（５ａ，１３，１４，３）が平行四辺形を形成していて、棚部材３は中間部材５ａに対して一定の姿勢を保ったまま昇降する。ただし、４つのリンク（５ａ，１３，１４，３）の長さは限定されるものではなく、任意に設定することができる。
【００１７】
連動用リンク１７は、第１リンク１１及び第２リンク１２と第３リンク１３及び第４リンク１４とを連動させるために設けられる。この実施形態では、連動用リンク１７の長さ方向の一端部が固定部材４ａにスライド可能に連結され、連動用リンク１７の長さ方向の中間部が第２リンク１２に回転可能に連結され、連動用リンク１７の長さ方向の他端部が第３リンク１３にスライド可能に連結される。正確にいえば、連動用リンク１７の一端部は、固定部材４ａにスライド可能かつ回転可能に連結され、連動用リンク１７の他端部は、第３リンク１３にスライド可能かつ回転可能に連結される。
【００１８】
連動用リンク１７は、側面視において、第２リンク１２と第３リンク１３とが互いに逆方向に回転するように、第２リンク１２と第３リンク１３とを連動させる。第２リンク１２は第１リンク１１と共に４節回転連鎖を構成し、第３リンク１３は第４リンク１４と共に４節回転連鎖を構成するので、第１リンク１１及び第２リンク１２と第３リンク１３及び第４リンク１４とが連動する。
【００１９】
この連動用リンク１７は、棚部材３の上昇位置及び下降位置の少なくとも一方を決定する役割も持つ。棚部材３の昇降に伴って、連動用リンク１７の一端部に設けられる軸１７１は、固定部材４ａの円弧状の溝１８に沿って移動する。図３（ａ）に示すように、軸１７１が溝１８の上端部に接するようにすれば、棚部材３の上昇位置を決定することができる。また、図３（ｃ）に示すように、軸１７１が溝１８の下端部に接するようにすれば、棚部材３の下降位置を決定することができる。なお、固定部材４ａと棚部材３とにマグネットを固定しておき、棚部材３が上昇するとき、固定部材４ａのマグネットと棚部材３のマグネットが互いに吸着することで、棚部材３の上昇位置を決定することもできる。
【００２０】
ガススプリング２１は、一端部が固定部材４ａに回転可能に連結され、他端部が第１リンク１１に回転可能に連結される。ガススプリング２１は、利用者が棚部材３を上昇させるときにアシスト力が発生するように、第１リンク１１にトルクを付与する。ガススプリング２１は、棚部材３を任意の位置に保持するフリーストップ機能も持つ。
【００２１】
以下に昇降装置１の各部の構成要素を詳細に説明する。図１に示すように、棚部材３は、上面が開口する箱形状の棚本体３１と、棚本体３１の左右の端部に取り付けられる左右一対のブラケット３２ａ，３２ｂと、を備える。棚本体３１は、板状の底部と、底部の上面の周囲を囲む枠状の壁部と、を有する。底部の左右の端部は、壁部から左右方向に張り出していて、底部の張り出し部分にブラケット３２ａ，３２ｂが取り付けられる。底部の下面には、昇降操作用の把手２２が設けられる。棚部材３には、例えば調味料、器、スプーン、調理器具等の物が収納される。なお、棚部材３の構成は上述の箱形状に限られることはなく、例えば棚部材を平行な複数本のロッドから構成することもできる。
【００２２】
固定部材４ａ，４ｂは、左右方向の厚みが薄い箱形状である。固定部材４ａ，４ｂの下面は開口する。図１（ａ）に示すように、棚部材３が上昇位置にあるとき、上部脚部６ａ，６ｂ、中間部材５ａ，５ｂ、下部脚部７ａ，７ｂは、固定部材４ａ，４ｂに収納される。
【００２３】
図３に示すように、固定部材４ａには、第１リンク１１の一端部が回転可能に連結され、第２リンク１２の一端部が回転可能に連結される。固定部材４ａには、連動用リンク１７の軸１７１をスライド可能に案内する溝１８が設けられる。
【００２４】
図４の昇降装置１の分解斜視図に示すように、固定部材４ａは、左右一対の板状のケース半体２４１，２４２と、ケース半体２４１，２４２同士を一定の距離を保って一体化する複数のスタッド２５と、ケース半体２４１，２４２間に挟まれる２つのスペーサ２６と、を備える。スペーサ２６には、固定部材４ａを吊戸棚２に取り付けるための締結部材が挿入される通し孔２６１が設けられる。ケース半体２４２は、カバー３１で覆われる。カバー３１は、前端部が曲げられたＬ字の板状である。
【００２５】
ケース半体２４１，２４２には、軸受３６を介して第１リンク１１を回転可能に支持する軸１１３が固定され、第２リンク１２の軸１２１を回転可能に支持する軸受３９が固定される。また、ケース半体２４１，２４２には、ガススプリング２１の一端部の軸２１１を回転可能に支持する軸受４１が固定される。さらに、ケース半体２４１，２４２には、連動用リンク１７の一端部の軸１７１をスライド可能に案内する円弧状の溝１８が形成される。
【００２６】
図３（ｃ）に示すように、第１リンク１１は、側面視においてＬ字形であり、長辺部１１１と、短辺部１１２と、を備える。第１リンク１１の一端部（Ｌ字の角部）は、固定部材４ａに軸１１３を介して回転可能に連結される。第１リンク１１の他端部は、中間部材５ａに軸１１４を介して回転可能に連結される。第１リンク１１の短辺部１１２の先端には、ガススプリング２１が軸２１２を介して回転可能に連結される。第１リンク１１には、ダンパ３５が取り付けられる。ダンパ３５は、棚部材３が下降位置近傍にあるとき、連動用リンク１７に当接してダンパ力を発生させる。
【００２７】
図４に示すように、ダンパ３５は、第１リンク１１に固定されるダンパベース４２と、ダンパベース４２に支持されるリニアダンパ４３と、第１リンク１１の長さ方向に移動可能なダンパスペーサ４４と、を備える。連動用リンク１７がダンパ３５に当接し、ダンパスペーサ４４を押すことで、ダンパ力が発生する。
【００２８】
第１リンク１１には、第１リンク１１及び第２リンク１２の下部を覆う第１カバー１５が取り付けられる。第１カバー１５は、第１リンク１１及び第２リンク１２の左右の側面を覆う。
【００２９】
図３（ｃ）に示すように、第２リンク１２は、棒状である。第２リンク１２の一端部は、固定部材４ａに回転可能に連結される。第２リンク１２の他端部は、軸１２２を介して中間部材５ａに回転可能に連結される。第２リンク１２の中間部は、連動用リンク１７の中間部に軸１７２を介して回転可能に連結される。
【００３０】
図４に示すように、第２リンク１２の一端部には、固定部材４ａに対する第２リンク１２の回転中心となる軸１２１が設けられる。軸１２１には、連動バー（図示せず）に連結される回り止め部が設けられる。回り止め部には、左右一対の第２リンク１２の回転を連動させるための連動バー（図示せず）が回転不能に連結される。
【００３１】
図３（ｃ）に示すように、中間部材５ａの上側には、第１リンク１１が軸１１４を介して回転可能に連結されると共に、第２リンク１２が軸１２２を介して回転可能に連結される。中間部材５ａの下側には、第３リンク１３が軸１３１を介して回転可能に連結されると共に、第４リンク１４が軸１４１を介して回転可能に連結される。
【００３２】
図４に示すように、中間部材５ａは、第１ないし第４リンク１１〜１４を挟む２枚の台形の板部４８を備える。中間部材５ａは、その左右の側面が円形のカバー４９で覆われる。
【００３３】
図３に示すように、第３リンク１３は、棒状である。第３リンク１３の一端部は、中間部材５ａに軸１３１を介して回転可能に連結される。第３リンク１３の他端部は、棚部材３に軸１３２を介して回転可能に連結される。第３リンク１３の中間部には、連動用リンク１７の軸１７３がスライド可能に嵌められる直線状の溝５１が設けられる。図４に示すように、第３リンク１３には、ガイド５２が取り付けられていて、溝５１は、ガイド５２に形成される。第３リンク１３には、棚部材３に対する第３リンク１３の回転中心になる軸１３２が固定される。軸１３２には、回り止め部が設けられる。回り止め部には、左右一対の第３リンク１３の回転を連動させるための連動バー５３（図１（ｃ）参照）が固定される。
【００３４】
図３（ｃ）に示すように、第４リンク１４は、棒状である。第４リンク１４の一端部は、中間部材５ａに軸１４１を介して回転可能に連結される。第４リンク１４の他端部は、棚部材３に軸１４２を介して回転可能に連結される。
【００３５】
図４に示すように、第３リンク１３及び第４リンク１４は第２カバー１６で覆われる。第２カバー１６は、断面コの字形であり、第３リンク１３及び第４リンク１４の左右の側面を覆う。第２カバー１６は、第４リンク１４と一緒に回転するように、第４リンク１４の両端の軸１４１，１４２に回転可能に連結される。
【００３６】
図３（ｃ）に示すように、棚部材３には、第３リンク１３が軸１３２を介して回転可能に連結されると共に、第４リンク１４が軸１４２を介して回転可能に連結される。図４に示すように、棚部材３のブラケット３２ａは断面コの字形である。ブラケット３２ａの左右一対の側面は、第３カバー５４で覆われる。
【００３７】
図３（ｃ）に示すように、連動用リンク１７は、略棒状である。連動用リンク１７は、その一端部が軸１７１を介して固定部材４ａにスライド可能に連結され、その中間部が軸１７２を介して第２リンク１２に回転可能に連結され、その他端部が軸１７３を介して第３リンク１３にスライド可能に連結される。連動用リンク１７には、ダンパ３５に向かって突出する三角形の突起が設けられる。
【００３８】
以上に第１の実施形態の昇降装置１の構成を説明した。第１の実施形態の昇降装置１によれば、以下の効果を奏する。第１リンク１１及び第２リンク１２と第３リンク１３及び第４リンク１４とを連動させる連動用リンク１７が、固定部材４ａにスライド可能に連結される。棚部材３が左右方向にふらつくのを連動用リンク１７が防止するので、棚部材３の支持強度を向上させることができる。
【００３９】
連動用リンク１７を第２リンク１２に回転可能に連結し、連動用リンク１７を第３リンク１３にスライド可能に連結するので、第２リンク１２と第３リンク１３とを連動させることができる。なお、連動用リンク１７を第１リンク１１に回転可能に連結し、連動用リンク１７を第４リンク１４にスライド可能に連結することもできる。
【００４０】
第１リンク１１及び第２リンク１２の少なくとも一部を第１カバー１５で覆い、第３リンク１３及び第４リンク１４の少なくとも一部を第２カバー１６で覆うので、多数のリンク（第１ないし第４リンク１１〜１４）が存在しても、すっきりした見栄えとなる。
（第２の実施形態）
【００４１】
図５及び図６は、本発明の第２の実施形態における昇降装置６１を示す。図５は、昇降装置６１の垂直断面図を示す。図５（ａ）は昇降部材としての棚部材３の上昇位置を示し、図５（ｂ）は棚部材３の中間位置を示し、図５（ｃ）は棚部材３の下降位置を示す。図６は、昇降装置６１の分解斜視図を示す。
【００４２】
上記第１の実施形態では、連動用リンク１７が第３リンク１３にスライド可能に連結されるが、第２の実施形態では、連動用リンク６２が第３リンク１３に補助リンク６３を介して回転可能に連結される。
【００４３】
図５（ｃ）に示すように、連動用リンク６２の一端部は、固定部材４ａに軸６２１を介してスライド可能に連結される。連動用リンク６２の中間部は、軸６２２を介して第２リンク１２に回転可能に連結される。連動用リンク６２の他端部は、補助リンク６３の一端部に軸６２３を介して回転可能に連結される。補助リンク６３の他端部は、軸６３１を介して第３リンク１３に回転可能に連結される。
【００４４】
第２の実施形態のように、連動用リンク６２を補助リンク６３を介して第３リンク１３に回転可能に連結しても、第２リンク１２と第３リンク１３とを連動させることができる。なお、連動用リンク６２の中間部を第１リンク１１に回転可能に連結し、連動用リンク６２の他端部を補助リンク６３を介して第４リンク１４に回転可能に連結してもよい。
【００４５】
その他の構成は、第１の実施形態の昇降装置１と略同様であるので、同一の符号を附してその説明を省略する。
（第３の実施形態）
【００４６】
図７は、本発明の第３の実施形態における昇降装置７１を示す。図７（ａ）は昇降部材としての棚部材３の上昇位置を示し、図７（ｂ）は棚部材３の中間位置を示し、図７（ｃ）は棚部材３の下降位置を示す。
【００４７】
上記第１の実施形態では、連動用リンク１７の一端部が固定部材４ａにスライド可能に連結されるが、第３の実施形態では、連動用リンク７２の一端部が固定部材４ａに補助リンク７３を介して回転可能に連結される。
【００４８】
図７（ｃ）に示すように、連動用リンク７２の一端部は、軸７２１を介して補助リンク７３の一端部に回転可能に連結される。補助リンク７３の他端部は、軸７３２を介して固定部材４ａに回転可能に連結される。連動用リンク７２の中間部は、軸７２２を介して第２リンク１２に回転可能に連結される。連動用リンク７２の他端部は、軸７２３を介して第３リンク１３にスライド可能に連結される。
【００４９】
第３の実施形態のように、連動用リンク７２を補助リンク７３を介して固定部材４ａに回転可能に連結しても、第２リンク１２と第３リンク１３とを連動させることができる。なお、連動用リンク７２の中間部を第１リンク１１に回転可能に連結し、連動用リンク７２の他端部を第４リンク１４にスライド可能に連結してもよい。
【００５０】
その他の構成は、第１の実施形態の昇降装置１と略同様であるので、同一の符号を附してその説明を省略する。
（第４の実施形態）
【００５１】
図８は、本発明の第４の実施形態における昇降装置８１を示す。図８（ａ）は昇降部材としての棚部材３の上昇位置を示し、図８（ｂ）は棚部材３の中間位置を示し、図８（ｃ）は棚部材３の下降位置を示す。
【００５２】
上記第１の実施形態では、連動用リンク１７の一端部が固定部材４ａにスライド可能に連結されるが、第４の実施形態では、第３の実施形態と同様に、連動用リンク８２の一端部が固定部材４ａに補助リンク８３を介して回転可能に連結される。
【００５３】
また、上記第１の実施形態では、連動用リンク１７の他端部が第３リンク１３にスライド可能に連結されるが、第４の実施形態では、第２の実施形態と同様に、連動用リンク８２の他端部が補助リンク８３を介して第３リンク１３に回転可能に連結される。
【００５４】
図８（ｃ）に示すように、連動用リンク８２の一端部は、軸８２１を介して補助リンク８３に回転可能に連結される。補助リンク８３の他端部は、軸８３１を介して固定部材４ａに回転可能に連結される。連動用リンク８２の中間部は、軸８２２を介して第２リンク１２に回転可能に連結される。連動用リンク８２の他端部は、補助リンク８４の一端部に軸８２３を介して回転可能に連結される。補助リンク８４の他端部は、軸８４１を介して第３リンク１３に回転可能に連結される。
【００５５】
第４の実施形態のように、連動用リンク８２を補助リンク８３を介して固定部材４ａに回転可能に連結し、連動用リンク８２を補助リンク８４を介して第３リンク１３に回転可能に連結しても、第２リンク１２と第３リンク１３とを連動させることができる。なお、連動用リンク８２の中間部を第１リンク１１に回転可能に連結し、連動用リンク８２の他端部を補助リンク８４を介して第４リンク１４に回転可能に連結してもよい。
【００５６】
その他の構成は、第１の実施形態の昇降装置１と略同様であるので、同一の符号を附してその説明を省略する。
【００５７】
本発明は上記実施形態に具現化されるのに限られることはなく、本発明の要旨を変更しない範囲でさまざまな実施形態に変更可能である。
【００５８】
第１ないし第４の実施形態の昇降装置では、昇降部材の用途として棚部材の例を説明したが、昇降部材の用途は棚部材に限定されるものでない。
【００５９】
第１ないし第４の実施形態の昇降装置では、中間部材を棚として利用していないが、中間部材を棚として利用することもできる。
【００６０】
第１ないし第４の実施形態の昇降装置の各部の形状、構造は一例であり、本発明の要旨を変更しない範囲でさまざまな形状、構造を採用し得る。
【符号の説明】
【００６１】
１，６１，７１，８１…昇降装置
２…吊戸棚
３…棚部材（昇降部材）
４ａ，４ｂ…固定部材
５ａ，５ｂ…中間部材
１１…第１リンク
１２…第２リンク
１３…第３リンク
１４…第４リンク
１５…第１カバー
１６…第２カバー
１７，６２，７２，８２…連動用リンク
６３，７３，８３，８４…補助リンク
【図１】
0006679165.tif 000002
【図２】
0006679165.tif 000003
【図３】
0006679165.tif 000004
【図４】
0006679165.tif 000005
【図５】
0006679165.tif 000006
【図６】
0006679165.tif 000007
【図７】
0006679165.tif 000008
【図８】
0006679165.tif 000009